(57)【要約】【課題】  スマートフォンなど携帯用電子機器の落下防止及び操作性の向上を図る把持具の提供を目的とする【解決手段】  スマートフォンんなど携帯用電子機器の落下防止及び操作性の向上を図る把持具において、使用時の携帯用電子機器を持つ手が自然な形状で把持できるように、携帯用電子機器の背面に付着させるための接着パット４を備えたホルダー土台１に、指を差し込む小判型ホルダー２を挿合し、ホルダーキャップ３で固定する携帯用電子機器把持具である。そして、小判型ホルダー２は携帯用電子機器の画面に対し平行に回転し、小判型ホルダー２の先端部が画面側面外部に指を挿入しやすい位置で突き出すことができるようになっている。【選択図】図１
2018129780.tif 000002
【特許請求の範囲】
【請求項１】
スマートフォンなど携帯用電子機器の把持具において、使用時の携帯用電子機器を持つ手が自然な形状で把持できるように、携帯用電子機器の背面に付着させるための接着パット４を備えたホルダー土台１に、指を差し込む小判型ホルダー２を接合するためのホルダーキャップ３を備えたものを特徴とする携帯用電子機器把持具。
【請求項２】
小判型ホルダー２は携帯用電子機器の画面に対し平行に回転し、小判型ホルダー２の先端部が画面側面外部に指を挿入しやすい位置に突き出すことができることを特徴とする請求項１に記載の携帯用電子機器把持具。
【請求項３】
請求項１に記載の携帯用電子機器把持具が一体となることを特徴とする携帯用電子機器電子機器カバー。
【発明の詳細な説明】
【技術分野】
【０００１】  本考案はスマートフォンなど携帯用電子機器の落下防止及操作性向上を図る把持具ーに関するものである。
【背景技術】
【０００２】  スマートフォンなど携帯用電子機器は、パーソナルコンピューターの技術をベースに製造される精密機器のため衝撃や水に弱い。【０００３】  スマートフォンなど携帯用電子機器は、片手で持つことが一般的で、画面も広いことから長時間安定して持ちつづけ操作するには大きな負担がある。そこで、一寸した気のゆるみから落下による破損や水没などの事故が多発している。さらに歩きながら操作する人も多く、つまずいたり他人とぶつかって落としてしまう人も多い。【０００４】  これまで、上記のような諸事情を考慮したスマートフォンなど携帯用電子機器用の落下防止及び操作性向上を図るためのホルダー、ベルト、ストラップなどの把持具やこれらの把持具と一体となった携帯用電子機器カバーが数多く考案されている。しかし、携帯用電子機器はバッグやポケットに出し入れしながら使うことが多いため、把持具が邪魔になってバッグやポケットの出し入れがしスムーズにできないでいた。また、これまでの把持具では把持するための指や手首の出し入れが素早くできなかったり、また、把持する手が自然な形状での把持が難しく、把持するためにホルダーやバンドに挿入した指が伸ばしっぱなしや締め付けぱなっしの状態となるため、長時間使用するには大変であった。
【先行技術文献】
【特許文献】
【０００５】
【特許文献１】特表２０１４−５１２７０９
【特許文献２】特開２０１５−２３５６４
【特許文献３】特開２０１６−５１９６７
【特許文献４】実登３１９１９４４
【特許文献５】特開２０１３−２１５４６０
【発明の概要】
【発明が解決しようとする課題】
【０００６】  本発明は上記の問題点を解決するためになされたもので、スマートフォンなど携帯用電子機器の落下防止及び操作性の向上を図る把持具の提供を目的とする。
【課題を解決するための手段】
【０００７】  本発明の携帯用電子機器把持具は、使用時の携帯用電子機器を持つ手が自然な形状で把持できるように、携帯用電子機器の背面に付着させるための接着パット４を備えたホルダー土台１に、指を差し込む小判型ホルダー２を挿合し、ホルダーキャップ３で固定する携帯用電子機器把持具である。そして、小判型ホルダー２は携帯用電子機器の画面に対し平行に回転し、小判型ホルダー２の先端部が画面側面外部に指を挿入しやすい位置で突き出すことができるようになっている。
【発明の効果】
【０００８】  本発明の携帯用電子機器把持具は、小判型ホルダー２が携帯用電子機器の画面に対し平行に回転し、小判型ホルダー２の先端部が画面側面外部に指を挿入しやすい位置に突き出すことができるようになっていることから、使用時の携帯用電子機器を持つ手が自然な形状となり、携帯用電子機器を長時間使用してもしっかり把持し続けられる。【０００９】  片手でもしっかり把持できるため、画面操作の向上も図られる。【００１０】  本発明の携帯用電子機器把持具は、特に突き出た部分もなく携帯用電子機器の厚さ以内とすることで違和感なく把持できる。
【図面の簡単な説明】
【００１１】
【図１】  本考案把持具の平面図
【図２】  図１のＡ‐Ａ断面図
【図３】  本考案把持具のホルダーキャップ３を外した把持具平面図
【図４】  図３のア部分拡大図
【図５】  本考案把持具を取付けた状態の平面図
【図６】  本考案把持具の小判型ホルダー２を回転させた状態の平面図
【図７】  本発明把持具の使用状態の斜視図
【図８】  本発明把持具の使用状態の斜視図
【図９】  実施例１に係る本考案把持具の平面図
【図１０】  図９のＢ‐Ｂ断面図
【図１１】  実施例２に係る本考案把持具の平面図
【図１２】  図１１のＣ‐Ｃ断面図
【図１３】  実施例３に係る本考案把持具の平面図
【図１４】  図１３のＤ‐Ｄ断面図
【発明を実施するための形態】
【００１２】  本考案の携帯用電子機器把持具は、図１及び図２に示すように、携帯用電子機器の背面に付着させるための接着パット４を備えたホルダー土台１に、指を挿入する小判型ホルダー２を挿合し、ホルダーキャップ３で固定する構造である。
【００１３】  図５及び図６〜８に示すように、小判型ホルダー２が携帯用電子機器の画面に対し平行に回転し、携帯電子機器の画面側面外部に小判型ホルダー２の先端部が携帯電子機器を把持する手が自然な形状で指を挿入しやすい位置に突き出すことができる構造である。
【００１４】  図３及び図４に示すように、指を差し込む小判型ホルダー２が勝手に回転しないように、ホルダー土台１と小判型ホルダー２の挿合接触面のホルダー土台１側には全周に小判型ホルダー２側には１箇所の凸部を形成とする。
【実施例１】
【００１５】  図９及び図１０に示すように、本考案の携帯用電子機器把持機能を携帯電子機器カバーと一体化する成型とする。
【実施例２】
【００１６】  図１１及び図１２に示すように、携帯電子機器を把持するため指を挿入するスライド式ホルダー１２は、弾力があり変形しにくい素材で、スライド式ホルダー土台１１のスライド式ホルダー土台くぼみ１１ａを挟み、スライド式ホルダ土台１１を中心にスライド及び回転ができる構成とする。
【実施例３】
【００１７】  図１３及び図１４に示すように、携帯電子機器を把持するため指を挿入するクリップ式ホルダー１４は、弾力があり変形しにくい素材で、クリップ式ホルダー土台１３のクリップ式ホルダー土台くぼみ１３ａを挟み、クリップ式ホルダー土台１３を中心に回転できる構成とする。
【符号の説明】
【００１８】１      ホルダー土台
２      小判型ホルダー
３      ホルダーキャップ
４      接着パット
ア      図４の拡大部分
５      ホルダー土台側凸部
６      小判型ホルダー側凸部
７      本考案把持具
８      携帯用電子機器カバー
９      本考案把持具と一体化した携帯用電子機器カバー
１０    一体型用ホルダーキャップ
１１    スライド式ホルダー土台
１１ａ  スライド式ホルダー土台くぼみ
１２    スライド式小判型ホルダー
１３    クリップ式ホルダー土台
１３ａ  クリップ式ホルダー土台くぼみ
１４    クリップ式小判型ホルダー
【図１】
2018129780.tif 000003
【図２】
2018129780.tif 000004
【図３】
2018129780.tif 000005
【図４】
2018129780.tif 000006
【図５】
2018129780.tif 000007
【図６】
2018129780.tif 000008
【図７】
2018129780.tif 000009
【図８】
2018129780.tif 000010
【図９】
2018129780.tif 000011
【図１０】
2018129780.tif 000012
【図１１】
2018129780.tif 000013
【図１２】
2018129780.tif 000014
【図１３】
2018129780.tif 000015
【図１４】
2018129780.tif 000016